(57)【特許請求の範囲】
【請求項１】
右の前身頃とおくみ、左の前身頃とおくみ、後身頃、衿、袖及び身八つ口を有する和服であって、
右の衿、おくみ、又は前身頃のいずれかに右ウエストひもが、和服着用時に着用者のウエストの位置から５〜７ｃｍ下にくる位置に取り付けられ、
左の衿、おくみ、又は前身頃のいずれかに左ウエストひもが、前記右ウエストひもとほぼ左右対称となる位置に取り付けられ、
和服の左側部の縫合部に、前記右ウエストひもを通すための長さ３〜５ｃｍの開口部が縦方向に複数設けられ、
前記右ウエストひもを、前記縫合部の複数の開口部のうち、和服着用時にその上端部が着用者のほぼウエストの位置にくる開口部に通して和服の裏から表に出して、左側部から後を経て右側部へ回し、
前記左ウエストひもを右側部から後を経て左側部へ回し、
前記右ウエストひもと左ウエストひもとを前で結び合わせることにより、これら右ウエストひもと左ウエストひもをほぼウエストの位置で締めるようになされ、
後身頃のほぼ中央部に背ひもが水平方向に取り付けられ、
この背ひもは、着用者のウエストサイズとほぼ同じか、それよりも長い長さを有し、そのほぼ中央部が後身頃の中心線に合わせ、中心線より左右に１０〜１５ｃｍ縫着され、かつ、その両端部が相互に結合可能であって、
前記背ひもの両端部を身八つ口から前身頃の中に入れ、前身頃の中で相互に結合することにより、ほぼウエストの位置で締めるようになされた
ことを特徴とする和服。
【請求項２】
後ろ身頃に縫合によっておはしょりが形成されていることを特徴とする、請求項１に記載の和服。
【発明の詳細な説明】
【０００１】
【発明の属する技術分野】
本発明は、和服に関し、より詳細には、着付けが容易で、着心地が良好であり、しかも着崩れしにくい和服に関する。
【０００２】
【従来の技術】
和服は、日本が世界に誇れる伝統的な衣服であり、今日でも冠婚葬祭等の正装として欠かせないものである。しかしながら、慣れていない者にとっては自分で着ることは困難であり、多くの場合、熟練者に着付けを依頼する必要があるのが現状である。また、ひもや帯で何重にも締め付けるため、胸部から腹部にかけての広範囲が強く圧迫され、苦しい思いをする場合が多い。特に、洋服に慣れた女性は、ウエストが締め付けられることは余り苦にならないが、胸を締め付けられると息苦しさを感じるものである。これに対し、苦しくないように緩めに締めると、着崩れしやすくなるという難点がある。従って、浴衣を除く和服は、日常ではあまり着用されていないのが現状であるが、もっと簡単に着用でき、着用感が快適な和服があれば、日常においても着用したいと考えている人が多くいるのも事実である。
【０００３】
上記のような問題点を解決するために従来から種々の改良が提案されているが、一般的には着易さを追求するほど、伝統的な和服から離れていく傾向にあり、和服本来の形を守りながら、誰にでも着用できて、着用感も良好な和服は、未だ得られていない。
【０００４】
例えば、比較的普及しているものとしては、ブラウスとスカートのように上下を分離した二部式着物がある。このような形であると、着脱の容易さや着用感は洋服と同様に優れ、新しい創作衣服としての価値はあると考えられるが、もはや伝統的な和服からは離れたものとなってしまっている。
【０００５】
【発明が解決しようとする課題】
本発明は、上記に鑑みてなされたものであり、和服本来の形を守りながら、着付けが容易であり、着用感も良好で、しかも着崩れしにくい和服を提供することを目的とする。
【０００６】
【課題を解決するための手段】
本発明の和服は、上記の課題を解決するために、右の前身頃とおくみ、左の前身頃とおくみ、後身頃、衿、及び袖を有する和服であって、右の衿、おくみ、又は前身頃のいずれかの部分に右ウエストひもが取り付けられ、左の衿、おくみ、又は前身頃のいずれかの部分に左ウエストひもが取り付けられ、前記右ウエストひもを通すための開口部が和服の左側部に設けられ、前記右ウエストひもをこの開口部に通して和服の裏から表に出して、左側部から後を経て右側部へ回し、前記左ウエストひもを右側部から後を経て左側部へ回し、前記右ウエストひもと左ウエストひもとを前で結び合わせるようになしたものとする。
【０００７】
また、後身頃のほぼ中央部に背ひもが水平方向に取り付けられており、この背ひもは着用者のウエストサイズとほぼ同じか、それよりも長い長さを有し、そのほぼ中央部が後身頃に取り付けられ、かつ、その両端部が相互に結合可能になされたものとする。
【０００８】
上記した本発明の和服は、後ろ身頃に縫合によっておはしょりが形成されたものとすることができる。
【０００９】
【発明の実施の形態】
以下、図を用いて本発明をさらに具体的に説明するが、本発明はこれに限定されるものではない。
【００１０】
図１は、本発明の一実施態様に係る和服の後面を示す平面図である。図２は、図１に示す和服の右前面の要部拡大図であり、図３は、図２のものにおいておはしょりを上に上げた状態を示す図である。図４は、左前面の要部拡大図であり、図５は図４のものにおいておはしょりを上に上げた状態を示す図である。なお、本明細書において「右」又は「左」という場合は、着用時における着用者にとっての右又は左を言うものとする。また、以下では成人女性用の和服を例として説明するが、本発明は成人女性用に限定されず、そのサイズ等を変えることにより、子供用や男性用にも適用可能である。
【００１１】
図１において、符号１０は後身頃、符号１１は後身頃のおはしょり、符号１２はおはしょり１１の縫合線、符号１３は背ひも、符号１４は背ひもの縫合線をそれぞれ示す。
【００１２】
本図に示されたように、後身頃１０においては、縫合線１２で縫合されることによりおはしょり１１が形成されている。縫合線１２は、着用者のほぼウエストの位置に設けられる。
【００１３】
また、縫合線１２とほぼ平行に、背ひも１３が縫合線１４によって縫着されている。背ひも１３は、縫合線１２の少し上に設けられている。通常は、その幅方向の中心が縫合線１２から４〜５ｃｍ程度上に位置するのが好ましい。また、背ひも１３は、その長さ方向のほぼ中央部を後身頃の中心線に合わせ、中心線より左右に１０〜１５ｃｍ程度（全体で２０〜３０ｃｍ程度）、縫着する。
【００１４】
背ひもの幅は、５〜７ｃｍ程度が好ましい。幅が狭いほど縫着部に大きな力がかかるために、縫着部の生地を傷めるおそれが生じる。
【００１５】
背ひもの長さは、着用したときに、その両端部を着用者の体側部から前に回して、前で相互に結合させることができる長さであればよい。その目安は、両端部を結び合わせる場合には、［着用者のウエストサイズ＋５０ｃｍ］であり、成人女性の標準的なサイズでは１１０〜１４０ｃｍ程度である。後述するように、各種係止具を用いて結合させる場合は、係止具の種類により決まる。
【００１６】
背ひもは、本実施例では、後身頃に縫着されているが、縫着せずに取り外し可能に取り付けるようにしてもよい。
【００１７】
具体的には、例えば、後身頃に長さ２０〜３０ｃｍ程度の背ひも通しを設け、この部分に背ひもを通すようにすればよい。背ひも通しは、例えば薄手の布で形成すればよく、その幅は背ひもを通した際にやや余裕のある幅が好ましい。本発明の和服を既製品として製造・販売する場合は、この背ひも通しを上下二段又は三段程度に分け、着用者の身長等により、より適した位置に背ひもを通すようにすればよい。
【００１８】
このような背ひも通しを用いる場合の背ひもは、背ひも通しに通し易いように、また途中でよれたりしないように、ある程度の厚みを有することが好ましく、幅は２〜５ｃｍ程度が好ましい。そして、このように厚手の背ひもでは、一般にその両端部を結び合わせることは困難であり、仮に結べるとしても結び目がかさばる等の問題が生じるので、そのような問題が生じないように、両端部又はその近傍に面ファスナー、ボタン、ホック等の係止具を取り付けて、これらの係止具を相互に係止させることにより両端部を結合させればよい。本発明でいう背ひもには、このようなベルトタイプのものも含まれ、このような背ひもを用いることにより、着付けがさらに容易になり、また、より快適な着用感を得ることが可能となる。なお、ここに述べたようなベルトタイプの背ひもは、背ひも通しを用いる場合のみならず、他の方法で背ひもを取り付ける場合にも使用することができる。
【００１９】
背ひもの別の取り付け手段としては、後身頃と背ひもの相対向する位置に面ファスナーを縫着や接着等により取着し、これらの面ファスナーを合わせることによって背ひもが後身頃に取り付けられるようにしてもよい。なお、その場合の面ファスナーは、後身頃の中心線をはさんで左右対称に二箇所取着するのが好ましい。後身頃の中心線を横切って面ファスナーを取着すると、和服の折り畳みが困難になる場合があるためである。
【００２０】
さらに、上記以外にも、例えば、ボタン、スナップ等の各種係止具で背ひもを取り付けることも可能である。
【００２１】
なお、背ひもは、着崩れのし難さ等の点では本実施例に示すように後身頃の表側に取り付けることが好ましいが、例えば商品としての外見を重視するような場合は、裏側に取り付けることも可能である。
【００２２】
上記した背ひもは、長襦袢にも、縫着により、又は上記のような手段で取り外し可能に設けることが好ましい。その場合、和服の背ひもと長襦袢の背ひもの位置を合わせることにより、長襦袢の衿が着物の衿とぴたりと合い、ずれないようにすることができる。
【００２３】
図２及び図３において、符号２０は右の前身頃、符号２１は右のおくみ、符号２２は右の衿、符号２３はおはしょり、符号２４はおはしょりの縫合線、符号２５は右ウエストひも、符号２６は右ウエストひもの縫合線をそれぞれ示す。
【００２４】
これらの図に示すように、右の前身頃２０には、後身頃１０と同様におはしょり２３が縫合形成されており、その縫合線２４は後身頃の縫合線１２と連続している。
【００２５】
おくみ２１には、右ウエストひも２５が縫着されている。右ウエストひも２５は、縫合線２４の延長線の下に、これとほぼ平行に縫着されている。その位置は、通常は、幅方向中央部が縫合線２４の延長線（すなわち、着用者のウエストの位置）から５〜７ｃｍ程度下にくるようにする。
【００２６】
右ウエストひも２５は、図３の縫合線２６で示されたように、右のおくみ２１の幅方向ほぼ全体にわたって縫着されている。しかし、縫着の位置及び範囲はこれに限定されず、例えば、前身頃に縫着してもよく、前身頃からおくみにかけて縫着してもよく、おくみから衿にかけて縫着してもよい。ただし、ある程度広い範囲で縫着した方が、ひもがしっかりと固定され、縫着部の生地の傷みも防止できる。しかし、衿の端まで縫合すると、後述するように右ウエストひも２５を左側部の開口部４０に通したときに、衿が開口部４０からはみ出すおそれがあり、見ばえがよくないので、端までは縫合しない方が好ましい。
【００２７】
図４及び図５において、符号３０は左の前身頃、符号３１は左のおくみ、符号３２は左の衿、符号３３はおはしょり、符号３４は左ウエストひも、符号３５は左ウエストひもの縫合線、符号４０は開口部をそれぞれ示す。
【００２８】
これらの図に示すように、左のおくみ３１から衿３２にかけてには左ウエストひも３４が縫着され、左側部（左前身頃３０と後身頃１０との縫合部）には開口部４０が設けられている。なお、図４は、おはしょり３３を形成した状態を示しているが、このおはしょり３３は、右前身頃２０のおはしょり２３のように、予め縫合により形成されたものではなく、従来の和服と同様に、着用時に形を整えて形成するものである。この部分のおはしょりも、右の前身頃２０のおはしょり２３と同様に、予め縫合により形成しておいてもよいが、この部分は着付けの美しさに大きく影響を与えるので、着用時に着用者の体型に合わせて形を整える方がより好ましい。また、この部分のみであれば、おはしょりを形成することは容易である。さらに、この部分を着用者の体型に合わせられるようにした方が、既製品として製造・販売する場合にも、適応するサイズに幅を持たせることができる。
【００２９】
左ウエストひも３４は、右ウエストひも２５とほぼ左右対称となる位置に縫着されている。ただし、左ウエストひも３４は、おくみ３１から衿３２の端まで縫着されている。これは、左ウエストひも３４は、右ウエストひものように、開口部をくぐらせる必要がないためである。しかし、左ウエストひも３４の縫着の仕方がこれに限定されないのは、右ウエストひも２５と同様である。
【００３０】
なお、上記例では、右ウエストひも及び左ウエストひもは、それぞれ所定の位置に縫着されているが、縫着せずに、例えばクリップ、ボタン、スナップ、ピン、面ファスナー等の各種係止具により、取り外し可能に取り付けることも可能である。
【００３１】
左側部の開口部４０の位置は、着用した状態で、上端部が着用者のほぼウエストの位置にくるようにするのが好ましい。開口部４０の長さは、ウエストひもを容易に通すことができ、かつおはしょりの下から見えない長さであればよい。従って、おはしょりの長さにもよるが、一般的には３〜８ｃｍ程度が適当である。
【００３２】
なお、本発明の着物を既製品として製造・販売する場合は、様々な身長及び体型の人に適用できるように、開口部を縦方向に複数設けてもよい。その場合、開口部の長さは一箇所当たり３〜５ｃｍ程度とすればよい。
【００３３】
上記した左右のウエストひもの長さは、下記のようにして着用したときに左右のひもが前で結べる長さであればよい。その目安は、［着用者のウエストサイズ×３／４＋２５ｃｍ］であり、成人女性の標準的なサイズでは７０〜９０ｃｍ程度である。
【００３４】
これら左右のウエストひもの幅も、背ひもと同様、縫着する場合は５〜７ｃｍ程度が好ましい。幅が狭すぎると、上記したように生地を傷めるおそれがあり、また着崩れし易くなる。一方、取り外し可能なウエストひもの場合は、通常は２〜４ｃｍ程度とする。
【００３５】
これらウエストひもの素材は、比較的薄いが丈夫で、結び易く、滑り難い布が好ましい。例えば、胴裏の白絹地等が好適に用いられる。
【００３６】
上記の構成よりなる和服は、例えば、以下のようにして着用する。
【００３７】
まず、右の前身頃２０を着用者の身体に合わせ、右ウエストひも２５を和服の裏側から開口部４０に通して表側に出し、後身頃１０のおはしょり１１の下を左側部から後を経て右側部までくぐらせて、ひも２５の先を右前方まで持ってくる。
【００３８】
次に、左の前身頃３０を右の前身頃２０の上に重ねて、左ウエストひも３４を後身頃１０のおはしょり１１の下を右側部から後を経て左側部までくぐらせて、ひもの先を左前方まで持ってくる。
【００３９】
左右のウエストひも２５，３４を前で結び合わせて、左の前身頃３０のおはしょり３３の形を整える。
【００４０】
最後に、背ひも１３の両端を前方に引っ張って衿ぬきをし、その状態を保ちつつ両端を脇（身八つ口）から前身頃の中に入れ、着用者の腹部の前で結び合わせる。あるいは上記したように両端部に面ファスナー、ボタン等の係止具を設けた場合は、これらを係止させることにより相互に結合させる。
【００４１】
但し、先に背ひもを前で結合させてから、ウエストひもを上記のようにして結んでもよい。また、上記実施例とは異なり、背ひもが裏側に取り付けられている場合には、当然のことながら、その両端を身八つ口から中へ通す必要はない。
【００４２】
本実施例の和服は、仕立て段階で上記した各ひもを縫着し、おはしょりを縫合形成することによって得ることができるが、仕立て上がりの和服を用いても得ることができる。各ひもの縫着及びおはしょりの形成は、手縫いで行うことも、ミシンで行うこともできる。
【００４３】
なお、本発明の和服の種類（用途）は限定されず、留め袖のような正装から浴衣のような簡易なものまであらゆる種類の和服に適用可能であるので、左右のウエストひも及び背ひもを縫着するか取り外し可能にするかは、和服の種類やその他必要に応じて、適宜選択すればよい。すなわち、縫着した方が着用がより容易になり、着崩れのおそれもより少なくなるのであるが、高価な和服にひもを縫着することに抵抗感がある場合や、既製品として販売するため縫着位置が決められない場合等は取り外し可能とすればよい。このことは、おはしょりを縫合形成するかどうかについても全く同様であり、縫合形成した方が着用の容易さ等の点では好ましいが、個々の事情に応じて決めればよい。
【００４４】
本発明の和服と共に用いる帯は特に限定されないが、以下に述べるような帯を用いることにより、着付けを最後まで一人で行いやすくなり、締め付け感のない快適な着心地を楽しむことができる。
【００４５】
図６は、丸帯又は袋帯の例である。
【００４６】
符号５０は帯を示し、符号５１，５３は、ひもを示し、符号５２，５４は、縫合線を示す。
【００４７】
帯５０には、二本のひも５１，５３が上下に縫着されている。端（手先）からひも５１までの長さ（ｓ）は８０ｃｍ程度である。ひも５１からひも５３までの長さは、着用者の胴回りの２倍よりもやや（１０ｃｍ程度）短い長さである。両ひもの長さは３５ｃｍ程度とし、幅は３〜１０ｃｍ程度とする。
【００４８】
図７は、半幅帯又は浴衣帯の例である。
【００４９】
符号６０は帯を示し、符号６１は、ひもを示し、符号６２，６３は、縫合線を示す。
【００５０】
帯６０には、二本のひも６１，６３が水平方向に縫着されている。端（手先）から縫合線６２までの長さ（ｔ１）は６０ｃｍ程度、縫合線６２から縫合線６３までの長さ（ｔ２）は５５ｃｍ程度とする。ひもの縫合線６２，６３から各端部までの長さはそれぞれ３５ｃｍ程度とし、幅は３〜１０ｃｍ程度、通常は７ｃｍ程度とする。なお、縫合線６２から縫合線６３の間でひもの長さを帯の長さより若干短くし、帯にたるみをもたせると、帯で腹部や胸部が圧迫されないため、より好ましい。
【００５１】
上記図６及び図７に示した帯は、帯自体を結ばなくてもひもを結び合わせることにより帯が固定でき、あとは通常の帯と同様に好みの形の飾り結びが形成できる。このように帯自体を結ばないことにより、圧迫感を軽減でき、帯の傷みも防止することができる。なお、図６の帯５０は、手先を二つ折りにして胴に２回巻き、ひも５１とひも５３（いずれも上方に出ている）を互いに結び合わせればよい。
【００５２】
【発明の効果】
本発明の和服は、右ウエストひもを左側部に設けた開口部に通して左ウエストひもと結び合わせるだけで着付けできるので、誰でも自分で簡単に着用することができる。また、ひもが和服に取り付けられているため着崩れのおそれが少ない。従って従来の和服のように強く締める必要がなく、またほぼウエスト部分のみで締め、腹部や胸部を圧迫しないため、着用感も良好である。しかも、伝統的な和服の形を守った、美しい着付けが可能である。
【００５３】
さらに、背ひもを設けることにより、衿ぬきが容易に行え、また、腰ひもを別に用意する必要もなく、着付けが一層容易となる。
【００５４】
特に、予めおはしょりを縫合形成しておくことにより、着付けがより容易になり、着崩れもしにくくなる。また、着脱時にすそを引きずり難いので和服の裾を汚すおそれがなく、どのような場所でも着替えを行うことが可能となる。
【００５５】
本発明の和服は、上記のように、誰でも簡単に着用でき、着心地が良好であるので、浴衣等の普段着や部屋着に特に好適に用いられるが、伝統的な形を守った着付けが可能であるので、振り袖や留め袖のような正装にも十分適用可能である。また、激しい動きによっても着崩れしにくいため、踊り等の衣装や、旅館や料理店等の従業員の制服（作業着）としても特に好ましい。
【図面の簡単な説明】
【図１】本発明の一実施態様にかかる和服の後面を示す平面図である。
【図２】右前面の要部拡大図である。
【図３】おはしょりを上に上げた状態での右前面の要部拡大図である。
【図４】左前面の要部拡大図である。
【図５】おはしょりを上に上げた状態での左前面の要部拡大図である。
【図６】ひもを付けた丸帯又は袋帯を示す図である。
【図７】ひもを付けた半幅帯又は浴衣帯を示す図である。
【符号の説明】
１０……後身頃
１１、２３、３３……おはしょり
１２、２４……おはしょりの縫合線
１３……背ひも
１４……背ひもの縫合線
２０……（右）前身頃
２１……（右）おくみ
２２……（右）衿
２５……右ウエストひも
２６……右ウエストひもの縫合線
３０……（左）前身頃
３１……（左）おくみ
３２……（左）衿
３４……左ウエストひも
３５……左ウエストひもの縫合線
４０……開口部
５０……帯（丸帯又は袋帯）
５１、５３……ひも
５２、５４……ひもの縫合線
６０……帯（半帯又は浴衣帯）
６１……ひも
６２、６３……ひもの縫合線
【図１】
0003726186.tif 000002
【図２】
0003726186.tif 000003
【図３】
0003726186.tif 000004
【図４】
0003726186.tif 000005
【図５】
0003726186.tif 000006
【図６】
0003726186.tif 000007
【図７】
0003726186.tif 000008